(57)【要約】【課題】  買物袋としての利便性、収納性、運搬性の向上を図り、一つの袋で多くの商品を大きさや量に応じて収納して運搬できる買物袋を提供する。【解決手段】  本体１０の対向する内壁の一方に内袋４０を固定して、該内袋の外側面と本体の他の内壁面に係止具４５１、４５２、１０１を係合可能に取り付けてなり、前記内袋の係止具４５１、４５２、及び、本体の係止具１０１の係合位置が調整可能になる買物袋であって、前記本体の外側底面部１５の一辺に、係止具５０１が取り付けられた素材の一端を固定し、他端は自由になるように設け、該係止具５０１と係合可能になるように本体の底面部に係止具１５１を取り付け、  前記係止具５０１の付いた自由端５０を、持ち手の根本に設けた環３０に通して、該自由端に取り付けた係止具同士、又は、該自由端に取り付けた係止具と底面部に取り付けた前記係止具を係合させ、本体の小型化を可能にしたことを特徴とする買物袋。【選択図】  図１
2010125318.tif 000002
【特許請求の範囲】
【請求項１】
本体の対向する内壁の一方に内袋を固定して、該内袋の外側面と本体の他の内壁面に係止具を係合可能に取り付けてなり、前記内袋の係止具及び本体の係止具の係合位置が調整可能になる買物袋であって、
前記本体の外側底面部の一辺に、係止具が取り付けられた素材の一端を固定し、他端は自由になるように設け、該係止具と係合可能になるように本体の底面部に係止具を取り付け、
前記係止具の付いた自由端を、持ち手の根本に設けた環に通して、該自由端に取り付けた係止具同士、又は、該自由端に取り付けた係止具と底面部に取り付けた前記係止具を係合させ、本体の小型化を可能にしたことを特徴とする買物袋。
【請求項２】
本体の対向する内壁の一方に内袋を固定して、該内袋の外側面と本体の他の内壁面に係止具を係合可能に取り付けてなり、前記内袋の係止具及び本体の係止具の係合位置が調整可能になる買物袋であって、
前記本体上端に取り付ける持ち手の末端を、外側底面部で互いに重なり合う状態になるまで、対向する両外壁面に沿って連続して延長し、
双方の持ち手の末端部分が底面部で互いに係合可能になるように係止具を取り付け、
片方の持ち手の末端部分を底面部に、もう片方の持ち手の末端部分は自由になるように本体に取り付け、
前記自由端を持ち手の根本、又は、持ち手と本体の外壁面の双方に亘って取り付けてある環に通して、
該自由端に取り付けた係止具同士、又は、該自由端に取り付けた係止具と底面部側に取り付けた前記係止具を係合させ、本体の小型化を可能にしたことを特徴とする買物袋。
【発明の詳細な説明】
【技術分野】
【０００１】
本発明は、主に各商店が買物客に、無料で提供している紙やポリエチレン製の袋に代わるもので、買物に行く時に各自が持参し、購入品を収納する買物袋に関する。
【背景技術】
【０００２】
従来、各商店は紙やビニール製の袋を無料で提供し、買物客の便宜を図っており、最近では特にポリエチレン製の袋等（以下、レジ袋と表示）が主流となっている。
【０００３】
それ故に、買物客は近隣で日常生活必需品を購入する時でさえ、自前の買物袋を持参せず、無料のレジ袋等に購入品を収納して、自宅に持ち帰っている人々が大多数である。
【０００４】
そして、持ち帰った紙袋やレジ袋の殆どは、ごみとして廃棄されているのが現状である。しかし、昨今の地球温暖化、又、限り有る資源を考慮すると、可能な限り再生利用、再使用の必要性に迫られている。企業も行政指導の下、レジ袋の削減を開始するとともに、近い将来、レジ袋全面有料化をめざしている。
【０００５】
そこで、最近ではスーパーマーケットやデパート等も、買物をする時に自前の袋や手さげカゴの持参を提唱すると同時に、エコバッグ、マイバッグと称して袋を販売するところが増えている。然しながら、殆どの買物袋は
（１）実質的な機能より見た目やデザインを重視するあまり、使い勝手の配慮に欠け重く、食品を直接収納するにもかかわらず、汚れても丸洗いが難しい中途半端な物が多い。
（２）袋の中に隙間なく収納したつもりでも、運搬を開始すると中の物が揺れて移動したり、倒れたりして持ちにくい。
（３）長尺物、硬い物、軟らかい物、重い物と、軽いもの、又、冷たい物、熱い物等、特性により適宜に区分けして収納することが難しく、時として袋の中身が丸見えで気になる。
（４）袋の小型化に関しては、小型化した袋に品物を収納して使用するというよりも、想定外の使用に備えて携行するという発想で殆どの袋が提供されている。そのため、大多数の人が近隣に買物に行く時でさえ、小型化した買物袋とは別に財布やメモ、又、携帯電話等を収納するバッグを余計に持参しなければならず合理的でない。
（５）手に提げて運搬する袋が大多数のため両手が自由にならず、悪天候では傘の開閉、及び、咄嗟の事態が発生しても対応が困難である。
上記のように機能性について、工夫も、改良もあまりなく、ただ単に物を詰め込む空間があるだけの袋が主流の中、特に、徒歩で買物に行かなければならない人々にとっては利便性、収納性、運搬性の面で不便を感じているのが実状である。
【０００６】
それを受け、前記従来の紙袋やレジ袋に代わるものとして、
（１）買物袋の一内側面に、横断面形状と同形で、且つ若干小さく形成された板状の仕切り板の一基端辺が取り付けられ、当該仕切り板は、前記基端辺を基軸として上下方向に回動自在であり、前記仕切り板の水平配置状態で、その仕切り板の下側に下方収納スペースと、仕切り板の上側に上方収納スペースが形成自在に構成され、
（２）更に、板状の仕切り板は２分割された小板体の組み合わせで成り、前記小板体同士の接続部で折曲可能であると共に、袋体を形成する底の内側面上に前記仕切り板と略同形・同大の当て底板が設置され、その当て底板も２分割された小板体の組み合わせで成り前記小板体同士の接続部で折曲可能であり、買物袋の不使用時には隣り合う仕切り板を折り曲げコンパクト化が可能であり、
（３）その上、仕切り板の一基端辺と反対側の回動辺寄りの表裏面及び、袋体の内側面の上部にそれぞれ面ファスナーが設けられており、所望の前記面ファスナー同士が着脱自在に構成されていることを特徴としたポリエステル製の買物袋が記載されている。（例えば特許文献１参照）
【特許文献１】実用新案登録第３１３１４４６号公報
【発明の開示】
【発明が解決しようとする課題】
【０００７】
前記特許文献１に開示された袋は、上下方向に回動自在の板状の仕切りを設け、同一の袋内で商品の種類に応じ区分けして運搬可能で、仕切り板が不要の時は邪魔にならず、使用する時には楽に使用でき、又、買物袋を不使用の時はコンパクト化できる利便性を有している。
【０００８】
しかし、上、下収納スペースを構成する仕切り板が回動自在になっているとはいえ、板状であることと、仕切り板を水平状態で停止させる係止部材が備わってないために、仕切り板を水平状態に保持するには、仕切り板の一基端辺が袋に取り付けられている高さと同等になるまで、下方収納スペースに品物を収納しなければならず、そのようにしないと上方収納スペースと下方収納スペースを構成する仕切り板もその用途を充分に果たせず、又、下方収納スペースに収納した品物で板状の仕切りを支えるため、品物に凹凸が有る場合は仕切り板を水平状態に保持するのは困難で、仕切り板は傾斜した状態となり、上方収納スペースに収納したケーキや刺身の盛り合わせの様なものは、運搬中に容器の中で偏ってしまうという欠点が予想される。
【０００９】
更に、長尺物の葱等を収納する際は、必然的に仕切りを傾斜させていて、その傾斜している仕切り板を保持しているのは長尺物の葱等であるため、例えば、上方収納スペースに鮮魚等を収納した場合には、その重量で長尺物の葱等を傷つけてしまう欠点が有る。
【００１０】
又、２分割された小板体の組み合わせで成り立っている仕切り板は、小板体同士の接続部で折り曲げ可能で、仕切り板を半分に折り畳み、小型化し想定外の使用に備え、携行可能で便利だが、小型化した袋にメモ、財布、携帯電話等を収納することは不可能で、別の袋に収納して買物に出掛けなければならないという欠点がある。
【００１１】
本発明は以上のような従来の欠点に鑑み、買物袋としての利便性、収納性、運搬性の向上を図り、従来の紙袋やビニール袋に取って代わり、１つの袋で必要条件を満たし、ごみの減少にも寄与することが確実な、地球環境に優しい買物袋を提供することを目的としている。更に、具体的には、
（１）買物袋の中に品物の大きさや量に応じて弛み具合、及び、張り具合を自在に調節可能な柔軟性のある仕切りを横方向に、設け、収納品の種類、特性により区分けして収納ができるようにする。
（２）係止具同士を係合する時に係止具の係合位置を臨機応変に変えられ、更に、係合部分が最も効果的になるように改良する。
（３）横方向の仕切りを、必要に応じて品物の上に掛け、中身を部分的に覆うカバーとして使用する際も長さの調節が出来るようにする。
（４）買物袋の中に設けた横方向の仕切りとカバーを同時に使用できるようにする。
（５）買物袋の大きさを、収納する物の量に応じて簡単に変えることができるようにする。
（６）袋の底面の部分補強、又は、全面補強が出来るようにする。
（７）買物袋を使用後、又は、洗濯後、簡単に畳んで保管できるようにする。
（８）商品化するに当たりコストの削減を図るための工夫をする。
【課題を解決するための手段】
【００１２】
上記の課題を解決するための手段として、請求項１に記載の発明は、
本体１０の対向する内壁の一方に内袋４０を固定して、該内袋４０の外側面と本体１０の他の内壁面に係止具４５１ａ、係止具４５１ｂ、係止具４５２ａ、係止具４５２ｂ、係止具１０１ａ、係止具１０１ｂを係合可能に取り付けてなり、
前記内袋４０の係止具４５１、係止具４５２、及び、本体１０の係止具１０１の係合位置が調整可能になる買物袋であって、
前記本体１０の外側底面部１５の一辺に、係止具５０１ａ、係止具５０１ｂが取り付けられた素材の一端を固定し、他端は自由になるように設け、該係止具５０１ａ、係止具５０１ｂと係合可能になるように本体１０の底面部１５に係止具１５１ａ、係止具１５１ｂを取り付け、
前記係止具５０１ａ、係止具５０１ｂの付いた自由端５０、５０を、それぞれの持ち手２０、２０の根本に設けた環３０、３０に通して、該自由端５０、５０に取り付けた係止具５０１ａと係止具５０１ｂ同士、又は、該自由端５０、５０に取り付けた係止具５０１ａ、係止具５０１ｂと底面部１５に取り付けた前記係止具１５１ａ、係止具１５１ｂを係合させ、本体の小型化を可能にした買物袋である。
【００１３】
請求項２に記載の発明に係る買物袋は、
本体１０の対向する内壁の一方に内袋４０を固定して、該内袋４０の外側面と本体１０の他の内壁面に係止具４５１ａ、係止具４５１ｂ、係止具４５２ａ、係止具４５２ｂ、係止具１０１ａ、係止具１０１ｂを係合可能に取り付けてなり、
前記内袋４０の係止具４５１、係止具４５２、及び、本体１０の係止具１０１の係合位置が調整可能になる買物袋であって、
前記本体１０上端に取り付けるそれぞれの持ち手２０、２０の末端を、外側底面部１５で互いに重なり合う状態になるまで、対向する両外壁面に沿って連続して延長し、
双方の持ち手２０、２０の末端部分が底面部１５で互いに係合可能になるように係止具１５２ａ、係止具１５２ｂ、及び、係止具５０２ａ、係止具５０２ｂを取り付け、
片方の持ち手２０、２０の末端部分の紐５０、５０を底面部１５に、もう片方の持ち手２０、２０の末端部分の紐５０、５０は自由になるように本体１０に取り付け、
前記自由端５０、５０をそれぞれの持ち手２０、２０の根本、又は、それぞれの持ち手２０、２０と本体１０の外壁面の双方に亘って取り付けてある環３０、３０に通して、
該自由端５０、５０に取り付けた係止具５０２ａと係止具５０２ｂ同士、又は、該自由端５０、５０に取り付けた係止具５０２ａ、係止具５０２ｂと底面部１５側に取り付けた前記係止具１５２ａ、係止具１５２ｂを係合させ、本体１０の小型化を可能にした買物袋である。
【発明の効果】
【００１４】
請求項１と請求項２に記載の発明に係る買物袋の共通の効果は、
本体の対向する内壁の一方に内袋を固定して設け、係合可能な係止具を取り付けることで、少なくとも１つの内袋を本来の使用方法と異なる柔軟性の有る棚状中仕切りとし、本体の中を上下に区分けして品物を収納可能である。
【００１５】
係止具は、取り付け範囲を長手方向に、複数個を点在して設けるか、或は、単数を連続状態に延長して設け、係止具同士の係合位置を調整して係合することを可能にしたことで、柔軟性のある棚状中仕切りの張り具合、及び、弛み具合が自在に調節でき、下側の棚状中仕切りに軟らかい物、壊れやすい物を収納しても、その収納品に触れず、上側の棚状中仕切りを張ることが可能である。又、冷たい物、熱い物など使用者が適宜区分けして収納が可能となり、購入品も運びやすくなり、利便性、収納性、運搬性に優れている。
【００１６】
係止具は対向する内袋、及び、本体の壁面にも同様に取り付けてあり、係合順序も任意のため、使用者が悩まずに適宜選択して使用可能であり、利便性に優れている。  
【００１７】
柔軟性のある棚状中仕切りは、上に乗せて収納する品物の底面部が球状であれば球状に、平坦であれば平坦に沿う形となり、棚状中仕切りの下側に収納した品物が多少凹凸していても、棚状中仕切りの上に乗せてある品物は下に落下することはない。
【００１８】
更に、球状で重量のある物の場合は２つの内袋を前後左右に交差する状態で接近させて棚状中仕切りを形成すると、棚状中仕切りの強度が一層増して効果を発揮する。その上、葱、大根のように長い物は本体の側面寄りに収納すれば、本体の側面と棚状中仕切りとの間の空間より一部が顔を出すような状況で収まり、利便性、収納性に優れている。
【００１９】
内袋は、本体に品物を収納後、単数の内袋を品物の上に被せて袋の中身を部分的に覆うカバーとして、又、複数の内袋を前後左右に交差させるように品物の上に被せて使用すると、ほぼ全面を覆うカバーとして品物の飛び出し防止としても使用可能で、利便性、収納性、運搬性に優れている。
【００２０】
内袋は棚状中仕切りのみ、又、カバーのみとして使用するだけでなく、複数の内袋の張り具合、及び、弛み具合を調節し、複数方向から交差状に形成された棚状中仕切り、又は、棚状中仕切りとカバーとして、同時に使用することも可能で、利便性、収納性、運搬性に優れている。
【００２１】
請求項１に記載の発明に係る買物袋は、前記共通の発明の効果に加え、
本体を小型化するため、底部を上方向に折り返して畳み、係止具を取り付けた自由な紐をそれぞれの持ち手の根本に取り付けられている環に通し、該係止具同士、又は、該係止具と係合可能な他の係止具と係合し小型化を可能にした。又、小型化した本体には品物を収納可能で、財布、メモ、携帯など買物に行く時の必需品を収納して持参し、品物を購入後は紐を底面部で重ね合わせ底面部の部分補強をすると同時に本体を大きくして収納可能となり、利便性、収納性、運搬性に優れている。
【００２２】
前記紐を通す環は、それぞれの持ち手の根本に取り付けられているのでどちら側にも本体の底部を上方向に折り返して畳み、本体の小型化を可能にする。又、使用しない側の環は、鍵や携帯電話を取り付けて使用することも可能な利点を併有し、利便性に優れている。
【００２３】
請求項２に記載の発明に係る買物袋は、前記共通の発明の効果に加え、
それぞれの持ち手の末端を、外側底面部で互いに重なり合う状態になるまで、対向する外壁面に沿って連続して延長し、双方の末端部分が底面部で互いに係合可能になるように係止具を取り付け、
片方の末端部分を底面部に、もう片方の末端部分は自由になるように本体に取り付け、
双方の係止具を底面部で係合して、本体に収納した品物の重量を、上端に取り付けた持ち手の部分だけで保持するのではなく、本体の壁面、及び、底面部に設けた持ち手の末端部分が全重量を保持するので、重い物などの運搬の際は、重量が分散され、又、品物が少ない時は、自由端をそれぞれの持ち手の根本、又は、それぞれの持ち手と本体の外壁面の双方に亘って設けた環に通して、自由端に取り付けた係止具同士、又は、自由端に取り付けた係止具と底面部側に取り付けた係止具と係合し、本体を小型化するだけでなく、小型化した袋に品物を収納して使用することも可能で、利便性、収納性、運搬性に優れている。
【００２４】
前記紐を通す環は、それぞれの持ち手の根本、又は、それぞれの持ち手と本体の外壁面の双方に亘って取り付けられているのでどちら側にも本体の底部を上方向に折り返して畳み、本体の小型化を可能にする。又、使用しない側の環は、鍵や携帯電話を取り付けて使用することも可能な利点を併有し、利便性に優れている。
【発明を実施するための最良の形態】
【００２５】
本発明に係る買物袋は、各商店やスーパーマーケット等で買物客の便宜を図って提供される無料のレジ袋に代わって、各自が買物に行く時に持参し、繰り返し使用する物である。以下、買物袋として最良の形態につき、図１ないし図３９を参照にして説明する。
【００２６】
（実施の形態１）
本発明の買物袋１は、本体１０、持ち手２０、内袋４０、係止具４３１、係止具４５１、係止具４５２、係止具１０１の構成部品から成っている。図１〜図１６に基づいて実施形態１を説明する。
【００２７】
本体１０は、有底の角形筒体状で軽く、一般家庭で簡単に丸洗いが可能な素材を用い、本体１０の対向する内壁面の上端に、互いが係合可能になるように係止具（雌雄）１０１を設けて本体１０の上端を必要に応じて閉じることが可能にし、周囲を縫い目１７で押えた大き目の襠付きで、多量の品物を収納できるようにしてある。本体１０は対向する壁面などを有する物であれば任意の形状にすることも可能で、周囲の縫い目１７は施さなくても良く、本体１０を襠無の形状にすることも可能である。又、大きさは体形に合わせてサイズを選択できるようにする。
【００２８】
本体１０の製作では縫合以外の接着、容着、粘着、圧着等、本体１０の素材、又、形状等に適した方法を選択が可能である。
【００２９】
持ち手２０は、対向する両壁面の上端に手に下げても、又、肩に掛けても良いように帯状の素材を逆Ｕ字形で取り付けてある。又、持ち手２０の素材、及び、形状については、任意の素材、及び、逆Ｕ字以外の任意の形状にすることも可能である。
【００３０】
持ち手２０の他の実施形態としては、本体１０の対向する上部両壁面に手を差し込んで保持できるような切欠孔形式の持ち手２０にすることも、又、本体１０上部の素材を連続して延長し、上部で対向する素材同士を縫合、或は、付属部品を取り付けて係合することも、又、結んで持ち手２０にする等、その他任意の形状を選択可能である。
【００３１】
内袋４０は、本体１０の対向する面の縦の長さより縦を最大限に長くし、横幅は対向する面の横幅より多少短くなるように、縦長素材の短い辺の片端を縫製後、縫製していない方の端が長くなるように二つ折りにして、両側辺を縫製し上部を開口とした内袋４０を作る。
【００３２】
内袋４０の開口部４３の内側に係止具４３１（雌雄）を取り付ける。
【００３３】
内袋４０の外側面上部に係止具（雌又は雄）４５１を設け、対向する内袋４０の外側面下部に、前記係止具４５１と互いに係合可能になるように係止具（雄又は雌）４５２を設ける。
【００３４】
内袋４０の外側面下部の係止具（雄又は雌）４５２と、対向する本体１０の壁面に、前記係止具（雄又は雌）４５２と互いに係合可能になるように係止具（雌又は雄）１０１を設ける。
【００３５】
内袋４０の開口部４３の係止具（雌雄）４３１、内袋４０の外側面上部の係止具（雌又は雄）４５１、内袋４０の外側面下部の係止具（雄又は雌）４５２、及び、本体１０の壁面の係止具（雌又は雄）１０１を取り付け完了後、本体１０の内壁面上部に内袋４０の縫い代部分４１を縫合する。
【００３６】
内袋４０の製作は縫合以外の接着、溶着、粘着、圧着等、内袋４０の素材、又、形状等に適した方法の選択が可能である。
【００３７】
内袋４０が短く展張り、又は、最大限に弛むことができる位置で係合可能になるように、係止具４５１、係止具４５２、及び、係止具１０１を複数個の係止具で長手方向に点在して設けるか、或は、単数の係止具で長手方向に連続状態に延長して設ける。
【００３８】
係止具４５１、係止具４５２、及び、係止具１０１は対向する内袋４０、及び、本体１０の壁面にも同じように取り付けてあるので、逆の係合方法も可能である。
【００３９】
係止具４５１、係止具４５２、及び、係止具１０１同士を係合して棚状中仕切りを形成する際の係合順序は任意であり、全部を棚状中仕切り、或は、一部をカバーとして形成することも可能である。
【００４０】
内袋４０の係止具４５、及び、本体１０の係止具１０１は、本体１０の対向する片方の壁面側の係止具４５、及び、係止具１０１を全部雌に、又、もう片方の壁面側の係止具４５、及び、係止具１０１を全部雄に統一して互いに係合可能になるように設けることも、又、雌雄を任意に選択して取り付けることも可能である。
【００４１】
棚状中仕切りは柔軟性があるため、例えば、上に乗せて収納する品物の底面が多少凹凸していても、棚状中仕切りの上に乗せてある品物は下に落下することはない。更に、複数方向に内袋４０が設けられている場合は、内袋４０を前後左右に交差する形状で２つの内袋４０を接近させて棚状中仕切りを形成すると、棚状中仕切りの強度が一層増して効果を発揮する。
【００４２】
これらの棚状中仕切りとなった内袋４０の中に保冷を必要とする食品等を保冷材と一緒に収納し鮮度を保つ使用方法、又、内袋４０に保冷材を収納し、棚状中仕切りを形成し、下にできる収納スペースにアイスクリーム、冷凍食品等を収納すれば簡易の保冷が可能で、更に、保温材を使用すれば保温も可能である。
以上のように、収納スペースに瓶物，箱物、玉葱、キャベツのように硬く、重い物、又、卵、ケーキ、刺身のように軟らかく、軽い物、更に、冷たい物、熱い物と使用者が適宜区分けして収納可能である。
【００４３】
内袋４０の横幅は、内袋４０が取り付けられている本体１０の対向する面の横幅より短く、内袋４０の両側辺と本体１０との間には多少の空間ができるように取り付け、棚状中仕切りにすることで本体１０の側面寄りに葱、大根のように長い物を収納しても空間より一部が顔を出すような状況で問題なく収まり、購入品も運びやすくなる。又、複数方向から内袋４０を交差させて棚状中仕切りを形成する場合、袋の４隅に長尺物の収納が可能になるように、内袋４０の位置を調整して本体１０に取り付けることが可能である。
【００４４】
内袋４０の縦横の長さは、それぞれの内袋４０を最初から別々の大きさにして設けることも可能である。又、内袋４０の縦の長さは対向する壁面のそれぞれの縦の長さと、その縦の長さの延長線上にある底面部１５の底辺Ｐ、又は、底辺Ｑの長さを加えた長さが、対向する双方の内袋４０を棚状中仕切りにする時に余裕があり形成しやすく、特に、複数方向からの内袋４０を交差して棚状中仕切りにする時に形成しやすい長さの目安となる。更に、この状態の内袋４０を本体１０に取り付け、棚状中仕切りとして使用しない時は本体１０の４つの壁面はそれぞれが２重に、又、底面部１５は５重に補強された状態になる。
【００４５】
内袋をカバーとして使用しない時は、本体１０の対向する内壁面の上端の係止具（雌雄）１０１ｃ同士を互いに係合することで本体１０の上端を必要に応じて閉じることが可能である。
【００４６】
内袋４０の係止具４３１、係止具４５１、係止具４５２、及び、本体１０の壁面の係止具１０１は面ファスナー、ファスナー、スナップ、ホック、或は磁石などの係合可能な素材を適宜選択して使用が可能である。又、取り付ける数量、取り付け場所の範囲、及び、取り付け方法は任意であって、接着、溶着、粘着、圧着、縫合等、本体１０、内袋４０、係止具４３１、係止具４５１、係止具４５２、係止具１０１の素材や形状等に適した取り付け方法の選択が可能である。
【００４７】
内袋４０は、全体を袋状にして本体１０に取り付ける以外に、全体、又は、一部分に袋状でない１枚の布、ネット、帯状の布、紐等の棚状中仕切りを形成できる素材を用いることも可能である。更に、袋状の物と他の素材を組み合わせることも、又、異なる素材同士を一緒に用いて棚状中仕切りを形成することも可能である。
【００４８】
図８に示す他の実施形態によれば、内袋４０を、本体１０の内壁面上部に縫合する際に、内袋４０と本体１０の内壁面の間に係止具６０１を取り付けた素材６０を一緒に取り付けることで、本体１０の外壁面に係止具６０１の取り付け部分が現れることもなく、見た目の体裁も良い物ができる。係止具６０１の雌雄は対向する内袋４０の係止具４５２と係合可能になるように複数個の係止具で長手方向に点在して設けるか、或は、単数の係止具で長手方向に連続状態に延長して設ける。又、素材６０と素材６０の形状は係止具の取り付けが可能なものであれば任意に選択可能で、係止具６０１は面ファスナー、ファスナー、スナップ、ホック、或は磁石などの係合可能な素材を適宜選択して使用が可能である。又、取り付ける数量、取り付け場所の範囲、及び、取り付け方法は任意であって、接着、溶着、粘着、圧着、縫合等、本体１０、内袋４０、素材６０、係止具４５２、係止具６０１の素材や形状等に適した取り付け方法の選択が可能である。
【実施例１】
【００４９】
内袋４０を１つの棚状中仕切りに形成する１例は、
内袋４０１の下部を上方向に持ち上げ、係止具４５２ｂと対向する内袋４０２の係止具４５１ａ、又は、本体１０の壁面の係止具１０１ａ同士を係合して柔軟性のある棚状中仕切りとして使用可能である。又、係合する時に係合位置を調整して係合すれば、張り具合、及び、弛み具合も自在に調節できる。
【実施例２】
【００５０】
内袋４０を２つの棚状中仕切りに形成する１例は、
内袋４０１の係止具４５２ｂを対向する本体１０の壁面の係止具１０１ｂの長手下方向に長さＤ２だけ調整して係合させ、棚状中仕切りが弛んで長目になるように形成させる。
その上で、内袋４０２の係止具４５２ｂを対向する内袋４０１の係止具４５１ａ、又は、本体１０の壁面の係止具１０１ａの長手上方向に長さＤ１だけ調整して係合する。係止具４５１ａ、又は、係止具１０１ａと接しない内袋４０２の下端部が、図面上で立ち上がった状態になっているが、内袋１０の素材は支え無しで立ち上がれる程硬質ではなく、実際には本体１０の内側に折れ曲がって垂れるような状態になる。双方の棚状中仕切りの長さは調整され、使いやすい状態に形成されるのでこの方法が適している。
【実施例３】
【００５１】
内袋４０を交差した状態で３つの棚状中仕切りと１つのカバーに形成する１例は
内袋４０４の係止具４５２ｂを対向する本体１０の壁面の係止具１０１ｂと係合し、内袋４０３の係止具４５２ｂを対向する内袋４０４の係止具４５１ａと係合し、内袋４０１の係止具４５２ｂを対向する本体１０の壁面の係止具１０１ｂと係合し、更に、内袋４０２の係止具４５２ａを対向する内袋４０１の係止具４５１ａ、又は、本体１０の壁面の係止具１０１ａと係合させる。重量のある物を収納する時は、前後左右からの棚状中仕切りを接近させて形成することで、棚状中仕切りの強度が補強されるため安心して物を収納できる。
【実施例４】
【００５２】
内袋４０を１つの棚状中仕切りと１つのカバーを形成する１例は、
内袋４０１の係止具４５２ｂと対向する本体１０の壁面の係止具１０１ｂを係合し、内袋４０２の係止具４５２ａと対向する内袋４０１の係止具４５１ａ、又は、本体１０の壁面の係止具１０１ａと係合する。
【実施例５】
【００５３】
内袋４０を１つのカバーに形成する１例は、
内袋４０１を品物の上に被せ、係止具４５２ａと対向する内袋４０２の係止具４５１ａ、又は、係止具１０１ａを係合する。この場合は部分的に収納品を覆うようになり飛び出し防止にも役立つ。
【実施例６】
【００５４】
内袋４０を１つの棚状中仕切りと２つのカバーに形成する１例は、
内袋４０１の係止具４５２ｂを対向する本体１０の壁面の係止具１０１ｂと係合し、次に、内袋４０４の係止具４５２ａを対向する内袋４０３の係止具４５１ａ、又は、本体１０の壁面の係止具１０１ａと係合する．更に、内袋４０２の係止具４５２ａを対向する本体１０の壁面１０１ａと係合すると１つの棚と２つのカバーになる。１つのカバーの時には部分的に品物を覆う状態であるが、前後左右と交差させることでほぼ全面を覆うことが可能となり、収納品を外部から護ることが可能になる。
【実施例７】
【００５５】
内袋４０２つを使用し１つの棚状中仕切り、又は、１つのカバーに形成する１例は、
内袋４０１の係止具（雄）４５２ｂを、対向する内袋４０２の係止具（雌）４５２ａと係合させることで、本体１０の対向する内壁面に設ける内袋４０の縦を長くすることが不可能でも、棚状中仕切り、又は、カバーが形成可能になる。双方の係止具４５２同士の係合部分を下方に向けると棚状中仕切り、又、係合部分を上方に向けるとカバーとして使用可能である。この方法で棚状中仕切り、又は、カバーを形成する時は対向する壁面側毎に係止具の雌雄の取り付け方法を統一すると良い。
【００５６】
以上のように内袋４０を本来の使用方法である物の収納だけでなく、使用者自身が収納する品物の性質や量により係止具の係合位置を適宜調整し、内袋４０を棚状中仕切り、又は、カバーとして使用可能である。
【００５７】
（実施の形態２）
本発明の買物袋１は実施の形態１の構成に加え、環３０、紐５０、係止具１５１、係止具５０１の構成部品から成っている。図１、図２、図１７〜図２４に基づいて実施形態２を説明する。
【００５８】
環３０は、本体１０のそれぞれの持ち手２０の根本に細く縫製した素材を取り付け、本体１０の底部をどちら側にも折り返して畳むことが可能であり、環３０を通り抜けた紐５０が、上方向に折り返された本体１０の底部の重量を充分に保持できるようにしてある。
【００５９】
環３０は既成の素材を適宜選択して使用することも、又、円環以外の任意の形状にすることも可能である。又、取り付ける方法は任意であって、例えば、接着、溶着、粘着、圧着、縫合等、環３０の素材、又、形状により取り付け方法の選択が可能である。
【００６０】
環３０の取り付け位置は、それぞれの持ち手２０の根本となっているが、本体１０の底部が支えられれば、それぞれの持ち手２０の根本でなく、本体１０に直接取り付けても良く、任意の位置に取り付け可能である。取り付け位置により本体１０の長さは多様に変化する。又、数量についても任意の数量を取り付け可能である。
【００６１】
環３０は、それぞれの持ち手２０の根本に取り付けてあり、使用しない環３０には携帯電話や鍵等を取り付けて使用することも可能である。
【００６２】
紐５０は、本体１０の上端に取り付けられたそれぞれの持ち手２０の垂直下の底辺Ｐと、直角に交わる底辺Ｑの長さに縫製した紐５０に係合可能な係止具（雌）５０１ａ、及び、係止具（雄）５０１ｂを雌雄交互に取り付け、その一端を持ち手２０の垂直下にあたる本体１０の外壁面と底面部１５の接する底辺Ｐに取り付け、他端は自由端とする。
【００６３】
紐５０に取り付けてある係止具（雌）５０１ａ、及び、係止具（雄）５０１ｂが折り重ねて係合可能になるように、底面部１５に係止具（雌）１５１ａ、及び、係止具（雄）１５１ｂをとりつける。
【００６４】
紐５０は環３０がそれぞれの持ち手２０の根本に取り付けてあるので、底部を正面側、又は、背面側に折り返して畳み、紐５０を環３０の下側から上に引き抜くか、又は、上側から下に引き抜くことが可能である。
【００６５】
紐５０は、平坦な紐以外に任意の形状、又、任意の素材を用いることも可能である。
【００６６】
紐５０の数量、及び、取り付け位置は、環３０の数量、及び、取り付け位置により任意に変更が可能である。
【００６７】
図１７に示す紐５０の他の実施形態によれば、それぞれの持ち手２０の垂直下の底辺Ｐと直角に交わる底辺Ｑの長さの２倍の素材の片側半分に係止具１５１ａ、及び、係止具１５１ｂを取り付けて本体１０の外側底面部１５に取り付ける。残りの半分に底面部１５に設けた前記係止具１５１ａ、及び、係止具１５１ｂと重ね合わせて互いに係合可能になるように、係止具５０１ａ、及び、係止具５０１ｂを取り付け、尚且つ、係止具５０１ａ、及び、係止具５０１ｂを取り付けた部分が自由になるようにする。前記係止具５０１ａ、及び、係止具５０１ｂの付いた自由な紐５０をそれぞれの持ち手２０の根本に設けた環３０に通して、該自由な紐５０に取り付けた係止具５０１ａと係止具５０１ｂ同士、又は、該自由な紐５０に取り付けた係止具５０１ａ、及び、係止具５０１ｂを底面部１５に取り付けた前記係止具１５１ａ、及び、係止具１５１ｂと係合させて本体を小型化することも可能である。
【００６８】
紐５０の係止具５０１、及び、係止具１５１は面ファスナー、ファスナー、スナップ、ホック、或は、磁石などの係合可能な素材を適宜選択して使用が可能である。又、取り付ける数量、及び、取り付け方法は任意であって、接着、溶着、粘着、圧着、縫合など、本体１０、紐５０、係止具５０１、係止具１５１の素材や形状等に適した取り付け方法の選択が可能である。
【００６９】
紐５０は筒状に縫製してある紐５０の内側に、インサイドベルト等のように多少固い素材を挿入、又は、素材を直接本体１０に取り付けると、底面部１５の部分が一層補強可能となる。
【００７０】
底面部１５の内側面に、底面部１５の折り畳み線１６に沿って内側方向に折り畳みも可能で軽量な形状記憶樹脂、又は、形状記憶合金等を挿入した底敷きを取り付ければ、インサイドベルト等を挿入、又は、直接取り付けた時より一層の補強が可能となり、更に、本体1０を使用する時に底面部１５が自然に広がるように取り付けることも可能である。
【００７１】
以上のように係止具５０１、及び、係止具１５１を雌雄交互に取り付け、多量の品物を収納している時は双方を折り重ねて係合し、底面部１５の部分補強とし、又、少量の品物を収納する時は、折り重ねて係合されている双方の係止具５０１、及び、係止具１５１の係合を解き、自由な紐５０を持ち手２０の根本に取り付けられている環３０に通し、自由な紐５０に取り付けられている係止具５０１ａと係止具５０１ｂ同士、又は、自由な紐５０に取り付けられている係止具５０１ａ、及び、係止具５０１ｂを底面部１５に取り付けられている係止具１５１ａ、及び、係止具１５１ｂと係合し、本体１０の長さを多様に調節できるようにしてある。底面部１５と紐５０に単数の係止具１５１、及び、係止具５０１を取り付ければ本体１０の長さの調節は限られるが、複数の係止具１５１、及び、係止具５０１の雌雄を交互に取り付ければ本体１０の長さも多様に調節可能である。
【実施例８】
【００７２】
本体１０を小型化しないで使用する時は、紐５０、５０の係止具５０１ｂと本体１０の底面部１５の係止具１５１ａ、及び、紐５０、５０の係止具５０１ａと本体１０の底面部１５の係止具１５１ｂを重ね合わせて係合させた状態で底面部１５を部分的に補強する状態で使用する。
【実施例９】
【００７３】
本体１０を約２/３の大きさに小型化して使用する時は、本体１０の底面部１５に取り付けてある係止具１５１、及び、紐５０、５０に取り付けてある係止具５０１の係合を解く。
【００７４】
底面部１５を折り畳み線１６に沿って半分に折り、底面部１５に取り付けられている係止具１５１ａと係止具１５１ｂ同士を係合させてから、底部を正面側の上方向に折り返して畳み、それぞれの持ち手２０、２０に取り付けてある環３０ａ、３０ａの下側から紐５０、５０を通して上に引き抜き係止具５０１ａと係止具５０１ｂ同士を係合する。紐５０、５０は半分に折り畳まれた状態で本体１０の表面に現われている。
【実施例１０】
【００７５】
本体１０を約半分の大きさに小型化して使用する時は、前記実施例２と同様に、本体１０の底面部１５に取り付けてある係止具１５１、及び、紐５０、５０に取り付けてある係止具５０１の係合を解く。
【００７６】
底面部１５を開いた状態で本体１０の底部を背面側の上方向に最大限に折り返して畳み、それぞれの持ち手２０、２０に取り付けてある環３０ｂ、３０ｂの上側から紐５０、５０を通して下に引き抜き、係止具５０１ｂと係止具１５１ａ、及び、係止具５０１ａと係止具１５１ｂを係合する。紐５０、５０の部分は本体１０の表面に現れない。
【００７７】
（実施の形態３）
本発明の買物袋１は実施の形態１の構成に加え、持ち手（本体１０の上端より持ち手が下方に向かって底辺Ｐ、又は、底辺Ｑまで延長している部分も含む）２０、環（持ち手の根本以外に取り付けた環も含む）３０、紐
(自由な紐、自由端、持ち手が底辺Ｐ、又は、底辺Ｑより更に延長した末端部分も含む) ５０、係止具１５２、係止具５０２の構成部品から成っている。図２５〜図３９に基づいて実施形態３を説明する。
【００７８】
持ち手２０は、対向する両壁面の上端に手に下げても、又、肩に掛けても良いように帯状の素材を逆Ｕ字形で取り付け、更に末端を本体１０の上端より対向する両外壁面に沿って底辺Ｐ、又は、底辺Ｑまで延長して伸ばし本体１０に取り付ける。又、持ち手２０の素材、及び、形状については、任意の素材、及び、逆Ｕ字以外の任意の形状にすることも可能である。
【００７９】
持ち手２０の他の実施形態としては、本体１０の上端から両外壁面に沿って下方の底面部まで連続して延長している持ち手２０の末端を残し、上端から上部の逆Ｕ字型の持ち手２０の部分だけを取り除き、本体１０の対向する上部両壁面に手を差し込んで保持できるような切欠孔形式の持ち手２０にすることも、又、本体１０の上部の素材を連続して延長し、上部で対向する素材同士を縫合、或は、付属部品を取り付けて係合することも、又、結んで持ち手２０にする等、様々な形状を任意に選択可能である。
【００８０】
環３０は、実施の形態２と同様に本体１０のそれぞれの持ち手２０の根本、又は、それぞれの持ち手２０と本体１０の外壁面の双方に亘って細く縫製した素材を取り付け、本体１０の底部をどちら側にも折り返して畳むことが可能であり、環３０を通り抜けた紐５０が、上方向に折り返された本体１０の底部の重量を充分に保持できるようにしてある。
【００８１】
環３０は、実施の形態２と同様に、既成の素材を適宜選択して使用することも、又、円環以外の任意の形状にすることも可能である。又、取り付ける方法は任意であり、接着、溶着、粘着、圧着、縫合等、環３０の素材、又、形状により取り付け方法の選択が可能である。
【００８２】
環３０の取り付け位置は、それぞれの持ち手２０の根本、又は、それぞれの持ち手２０と本体１０の外壁面の双方に取り付けとなっているが、本体１０の底部が支えられれば、本体１０の両外壁面に直接取り付けても良く、又、取り付け位置を任意に選択可能である。取り付け位置により本体１０の長さは多様に変化する。又、数量についても、任意の数量を取り付け可能である。
【００８３】
環３０は、それぞれの持ち手２０の根本、又は、それぞれの持ち手２０と本体１０の外壁面の双方に亘って取り付けてあり、使用しない環３０には携帯電話や鍵等を取り付けて使用することも可能である。
【００８４】
紐５０は、本体１０に取り付けられたそれぞれの持ち手２０の末端を対向する両外壁面に沿って本体１０の上端より下方に連続して延長し、底辺Ｐ、又は、底辺Ｑに達した位置から、更に延長した持ち手の末端部分を指し、その末端部分同士が外側底面部１５で互いに重なり合う状態にし、重なり合った部分の内、底面部１５に取り付ける側の持ち手２０の末端部分に係止具１５２ａ、及び、係止具１５２ｂを取り付け、自由になる側の持ち手２０の末端部分に係止具５０２ａ、及び、係止具５０２ｂを取り付け、双方の末端部分の係止具１５２と係止具５０２が互いに重なりあって係合が可能になるようにする。
【００８５】
係止具１５２を取り付けた片方の末端部分の紐５０を底面部１５に取り付け、係止具５０２を取り付けたもう片方の末端部分は本体１０の外壁面と底面部１５の接する底辺Ｐ、又は、底辺Ｑに取り付け、残りの部分が自由な紐５０になるようにする。
【００８６】
双方の係止具１５２と５０２を底面部１５で係合して、本体１０に収納した品物の重量を、上端に取り付けた持ち手２０部分だけで保持するのではなく、本体１０の対向する両壁面の持ち手２０部分、及び、底面部１５に設けたそれぞれの持ち手２０の末端部分の紐５０が全重量を保持するので、重い物などの運搬の際は重量が分散され、又、品物が少ない時は、自由な紐５０をそれぞれの持ち手２０の根本、又は、それぞれの持ち手２０と本体１０の外壁面の双方に亘って取り付けてある環３０に通して、自由な紐５０に取り付けた係止具５０２同士、又は、自由な紐５０に取り付けた係止具５０２と底面部１５に取り付けた係止具１５２を係合し、本体を小型化するだけでなく品物を収納して使用可能で、又、多量の品物を収納後は本体１０の全重量を底面部１５から支えることが可能となり、利便性、収納性、運搬性に優れている。
【００８７】
紐５０は環３０がそれぞれの持ち手２０の根本、又は、それぞれの持ち手２０と本体１０の外壁面の双方に亘って取り付けてあるので、底部を正面側、又は、背面側に折り返して畳み、紐５０を環３０の下側から上に引き抜くか、又は、上側から下に引き抜くことが可能である。
【００８８】
紐５０は、平坦な紐以外に任意の形状、又、任意の素材を用いることも可能である。
【００８９】
紐５０の数量、及び、取り付け位置は、環３０の数量、及び、取り付け位置により任意に変更が可能である。
【００９０】
紐５０の他の実施形態としては、それぞれの持ち手２０の末端を垂直下の底辺Ｐ、又は、底辺Ｑまで両外壁面に沿って連続して延長して本体１０に取り付け、片側の持ち手２０の末端のみ、底辺Ｐと直角に交わる底辺Ｑの長さと等しい長さ、又は、底辺Ｑと直角に交わる底辺Ｐの長さと等しい長さで、自由な紐５０になるように更に延長し、係止具５０２ａ、及び、係止具５０２ｂを取り付け、該係止具５０２ａ、及び、５０２ｂと係合可能になるように本体１０の底面部１５に係止具１５２ａ、及び、係止具１５２ｂを取り付ける。前記係止具５０２ａ、係止具５０２ｂの付いた自由な紐５０をそれぞれの持ち手２０の根本、又は、それぞれの持ち手２０と本体１０の外壁面の双方に亘って取り付けてある環３０に通して係止具５０２ａと係止具５０２ｂ同士、又は、該自由な紐５０に取り付けた係止具５０２ａ、及び、係止具５０２ｂを底面部１５に取り付けた前記係止具１５２ａ、及び、係止具１５２ｂと係合させて本体１０を小型化することも可能である。
【００９１】
紐５０の係止具５０２、及び、係止具１５２は面ファスナー、ファスナー、スナップ、ホック、或は、磁石などの係合可能な素材を適宜選択して使用が可能である。又、取り付ける数量、及び、取り付け方法は任意であって、接着、溶着、粘着、圧着、縫合など、本体１０、紐５０、係止具５０２、係止具１５２の素材や形体等に適した取り付け方法の選択が可能である。
【００９２】
紐５０は筒状に縫製してある紐５０の内側に、インサイドベルト等のように多少固い素材を挿入、又は、素材を直接本体１０に取り付けると、底面部１５の部分が一層補強可能となる。
【００９３】
底面部１５の内側面に、底面部１５の折り畳み線１６に沿って内側方向に折り畳みも可能で軽量な、例えば、形状記憶樹脂、又は、形状記憶合金等を挿入した底敷きを取り付ければ、インサイドベルト等を挿入、又は、直接取り付けた時より一層の補強が可能となり、又、本体1０を使用する時に底面部１５が自然に広がるように取り付けることも可能である。
【００９４】
以上のように係止具５０２、及び、係止具１５２を雌雄交互に取り付け、多量の品物を収納している時は双方を折り重ねて係合し、底面部１５の部分補強し、又、少量の品物を収納する時は、折り重ねて係合されている双方の係止具５０２、及び、係止具１５２の係合を解き、自由な紐５０をそれぞれの持ち手２０の根本、又は、それぞれの持ち手２０と本体１０の外壁面の双方に亘って取り付けてある環３０に通し、底面部１５に取り付けられている係止具１５２、又は、自由な紐５０に取り付けられている係止具５０２同士を係合し、本体１０の長さを多様に調節できるようにしてある。底面部１５、及び、紐５０に単数の係止具１５２、及び、係止具５０２を取り付ければ本体１０の長さの調節は限られるが、複数の係止具１５２、及び、係止具５０２の雌雄を交互に取り付ければ本体１０の長さも多様に調節可能である。
【実施例１１】
【００９５】
本体１０を小型化しないで使用する時は、前記実施の形態２の実施例１と同様に、紐５０、５０の係止具５０２、及び、本体１０の底面部１５に取り付けてある係止具１５２を重ね合わせて係合させた状態で底面部１５を部分的に補強する状態で使用する。
【実施例１２】
【００９６】
本体１０を約２/３の大きさに小型化して使用する時は、前記実施の形態２の実施例２と同様に、本体１０の底面部１５に取り付けてある係止具１５２、及び、紐５０、５０に取り付けてある係止具５０２の係合を解く。
【００９７】
底面部１５を折り畳み線１６に沿って半分に折り底面部１５に取り付けられている係止具１５２ａと係止具１５２ｂ同士を係合させてから、底部を正面側の上方向に折り返して畳み、それぞれの持ち手２０、２０の根本に取り付けてある環３０ａ、３０ａの下側から紐５０、５０を通して上に引き抜き係止具５０２ａと係止具５０２ｂ同士を係合する。紐５０、５０は半分に折られた状態で本体１０の表面に現われている。
【実施例１３】
【００９８】
本体１０を約半分の大きさに小型化して使用する時は、前記実施の形態２の実施例３と同様に、本体１０の底面部１５に取り付けてある係止具１５２、及び、紐５０、５０に取り付けてある係止具５０２の係合を解く。
【００９９】
底面部１５を開いた状態で底部を背面側の上方向に最大限に折り返して畳み、それぞれの持ち手２０、２０の根本に取り付けてある環３０ｂ、３０ｂの上側から紐５０、５０を通して下に引き抜き、係止具５０２と係止具１５２を係合する。紐５０、５０の部分は本体１０の表面に現れない。
【実施例１４】
【０１００】
本体１０を前記実施例２より袋の縦が長い状態で小型化して使用する時は、前記実施例２と同様に、本体１０の底面部１５に取り付けてある係止具１５２、及び、紐５０、５０に取り付けてある係止具５０２の係合を解く。
【０１０１】
底面部１５を折り畳み線１６に沿って半分に折り底面部１５に取り付けられている係止具１５２ａと係止具１５２ｂ同士を係合させてから、底部を正面側の上方向に折り返して畳み、それぞれの持ち手２０、２０の根本に取り付けてある環３０ａ、３０ａではなく、それぞれの持ち手２０、２０と本体１０の外壁面の双方に亘って取り付けてある環３０ａ、３０ａの下側から紐５０、５０を通して上に引き抜き係止具５０２ａと係止具５０２ｂ同士を係合する。紐５０、５０は半分に折られた状態で本体１０の表面に現われている。
【０１０２】
次に、本発明の使い方を以下のように場合分けして説明する。
（１）多量の買物をして本体１０の全容量を使うような場合に適し、通常に使用する場合。
（２）少量の買物をした場合に適し、底面部１５を折り畳み線１６に沿って折り畳んでから、上方向に１段折り返して使用する場合。
（３）極少量の物を収納する場合に適し、底面部１５を広げたままで、上方向に最大限に１段折り返して使用する場合。
（４）買物袋１を使用後に折り畳んで収納保管する場合。
（５）買物袋１を使用後に吊下げて保管する場合。
【０１０３】
更に、上記の場合分けを、次の部分に分けて説明する。
（イ）内袋４０の状態、及び、使用方法。
（ロ）紐５０の状態、及び、使用方法。
【０１０４】
多量の買物をして本体１０の全容量を使うような場合に適し、通常に使用する場合。
【０１０５】
内袋４０の状態、及び、使用方法。
内袋４０を１つ使用し、本来の使用目的である財布、メモ等を収納して使用する以外の棚状中仕切りとする時は、内袋４０１の下部を上方向に持ち上げ、下部裏面の係止具４５２ｂと、対向する内袋４０２の上部表面の係止具４５１ａ、又は、本体の壁面の係止具１０１ａと係合すると本体１０の中に横方向に区分けした柔軟性の有る１つの棚状中仕切りができ２層にして使用することができる。
【０１０６】
内袋４０を２つ使用して２段の棚状中仕切りとする時は、内袋４０１の下部裏面の係止具４５２ｂと、対向する内袋４０２の本体１０の壁面の係止具１０１ｂを係合し、内袋４０２の下部裏面の係止具４５２ｂと対向する内袋４０１の上部表面の係止具４５１ａ、又は、本体１０の壁面の係止具１０１ａと係合すると本体１０の中に２つの棚状中仕切りができ３層にして使用できる。
【０１０７】
内袋４０を４つ使用して棚状中仕切りとカバーにする時は、内袋４０４の下部を上方向に持ち上げ、下部裏面の係止具４５２ｂを対向する本体１０の壁面の係止具１０１ｂと係合し、
内袋４０３の下部を上方向に持ち上げ、下部裏面の係止具４５２ｂを対向する内袋４０４の上部表面の係止具４５１ａと係合し、
内袋４０１の下部裏面の係止具４５２ｂを対向する本体１０の壁面の係止具１０１ｂと係合し、更に、
内袋４０２の下部裏面の係止具４５２ａを対向する内袋４０１の上部表面４５１ａ、又は、本体１０の壁面の係止具１０１ａと係合させることで内袋４０を交差した状態で３つの棚状中仕切りとカバーとして使用可能である。
【０１０８】
内袋４０を２つ使用して棚状中仕切りとカバーにする時は、内袋４０１の下部裏面の係止具４５２ｂと対向する本体１０の壁面の係止具１０１ｂを係合し、更に、内袋４０２の下部表面の係止具４５２ａと対向する、内袋４０１の上部表面の係止具４５１ａ、又は、本体１０の壁面の係止具１０１ａと係合すると、棚状中仕切りと品物の上に被せ、本体１０の中身を部分的に覆うカバーの両方を同時に使用が可能である。
【０１０９】
内袋４０を１つ使用してカバーとする時は、内袋４０１の下部表面の係止具４５２ａと対向する内袋４０２の上部表面の係止具４５１ａ、又は本体１０の壁面の係止具１０１ａと係合し、品物の上に被せ、本体１０の中身を部分的に覆うカバーとして、又、品物の飛び出し防止としても使用が可能である。
【０１１０】
内袋４０を２つ使用して２つのカバーとする時は、内袋４０４の係止具４５２ａを対向する内袋４０３の係止具４５１ａ、又は、本体１０の壁面の係止具１０１ａと係合する、内袋４０２の係止具４５２ａを対向する本体１０の壁面１０１ａと係合すると２つのカバーになる。１つのカバーの時には部分的に品物を覆う状態であるが、前後左右と交差させることでほぼ全面を覆うことが可能となり、収納品を外部から護ることが可能になる。
【０１１１】
内袋４０を２つ使用して１つの棚状中仕切り、又は、１つのカバーにする時は、内袋４０１の係止具４５２ｂを、対向する内袋４０２の係止具４５２ａと係合させる。内袋４０の縦を長く出来ない場合でも、双方の係止具４５２同士を係合させて、係合部分を下方に向けて品物を収納すれば棚状中仕切りとなり、又、品物の上で双方を係合させると品物を覆うカバーとして使用可能である。
【０１１２】
紐５０の状態、及び、使用方法。
紐５０、５０の係止具５０１ｂと本体１０の底面部１５に取り付けてある係止具１５１ａ、及び、係止具５０１ａと係止具１５１ｂを重ね合わせて係合させた状態にして使用する。又、それぞれの持ち手２０、２０に取り付けてある環３０、３０は使用しないので携帯電話や鍵等を取り付けて使用することも可能である。
以上のように、底面部１５に重なった紐５０、５０は本体１０の底面部１５を部分的に補強する。
【０１１３】
少量の買物をした場合に適し、底面部１５を折り畳み線１６に沿って折り畳んでから、上方向に１段折り返して使用する場合。
【０１１４】
内袋４０の状態、及び、使用方法。
内袋４０を１つ使用して棚状中仕切りとする時は、多量の買物をした場合と同様に、内袋４０１の下部を上方向に持ち上げ、下部裏面の係止具４５２ｂと、対向する内袋４０２の上部表面の係止具４５１ａ、又は、本体の壁面の係止具１０１ａと係合することで、本体１０の中に横方向に柔軟性の有る１つの棚状中仕切りができ、本体１０を２層にして使用できる。
【０１１５】
内袋４０を２つ使用して２段の棚状中仕切りとする時は、多少空間が狭くなるが、多量の買物をした場合と同様に、内袋４０１の下部裏面の係止具４５２ｂと、対向する内袋４０２の本体１０の壁面の係止具１０１ｂを係合し、内袋４０２の下部裏面の係止具４５２ｂと対向する内袋４０１の上部表面の係止具４５１ａ、又は、本体壁面の係止具１０１ａと係合すると本体１０の中に横方向に２つの棚状中仕切りができ本体１０を３層にして使用できる。
【０１１６】
内袋４０を２つ使用して棚状中仕切りとカバーとする時は、多量の買物をした場合と同様に、内袋４０１の下部裏面の係止具４５２ｂと対向する本体１０の壁面の係止具１０１ｂを係合し、更に、内袋４０２の下部表面の係止具４５２ａと対向する、内袋４０１の上部表面の係止具４５１ａ、又は、本体１０の壁面の係止具１０１ａと係合し、１つを棚状中仕切り、又、もう１つを品物の上に被せ、本体１０の中身を部分的に覆うカバーの両方を同時に使用が可能である。
【０１１７】
内袋４０を１つ使用してカバーとする時は、多量の買物をした場合と同様に、内袋４０１の下部表面の係止具４５２ａと対向する内袋４０２の上部表面の係止具４５１ａ、又は本体１０の壁面の係止具１０１ａと係合し、品物の上に被せ、本体１０の中身を部分的に覆うカバーとして、又、品物の飛び出し防止としても使用が可能である。
【０１１８】
内袋４０を２つ使用して２つのカバーとする時は、多量の買物をした場合と同様に内袋４０４の係止具４５２ａを対向する内袋４０３の係止具４５１ａ、又は、本体１０の壁面の係止具１０１ａと係合する、内袋４０２の係止具４５２ａを対向する本体１０の壁面１０１ａと係合すると２つのカバーになる。１つのカバーの時には部分的に品物を覆う状態であるが、前後左右と交差させることでほぼ全面を覆うことが可能となり、収納品を外部から護ることが可能になる。
【０１１９】
内袋４０を２つ使用して１つの棚状中仕切り、又は、１つのカバーにする時は、内袋４０１の係止具４５２ｂを、対向する内袋４０２の係止具４５２ａと係合させる。内袋４０の縦を長く出来ない場合でも、双方の係止具４５２同士を係合させて、係合部分を下方に向けて品物を収納すれば棚状中仕切りとなり、又、品物の上で双方を係合させると品物を覆うカバーとして使用可能である。
【０１２０】
紐５０の状態、及び、使用方法（１）。
本体１０の底面部１５に取り付けてある係止具１５１、及び、紐５０、５０に取り付けてある係止具５０１の係合を解く。
【０１２１】
底面部１５を折り畳み線１６に沿って半分に折り底面部１５に取り付けられている係止具１５１ａと係止具１５１ｂを係合させてから、底部を正面側の上方向に折り返して畳み、それぞれの持ち手２０、２０の根本に取り付けてある環３０ａ、３０ａの下側から紐５０、５０を通して上に引き抜き、係止具５０１ａと係止具５０１ｂを係合する。紐５０、５０は半分に折られた状態で表面に現われている。
【０１２２】
紐５０、５０を通す環３０、３０はそれぞれの持ち手２０、２０の根本に取り付けてあるので、正面側の環３０ａ、３０ａの下側から紐５０、５０を上に引き抜く方法、又は、底部を背面側の上方向に折り返して畳み、それぞれの持ち手２０、２０に取り付けてある環３０ｂ、３０ｂの上側から下に引き抜く方法も可能である。又、使用しない側のそれぞれの持ち手２０、２０の根本に取り付けてある環３０、３０には携帯電話や鍵等を取り付けて使用することも可能である。以上のように折り畳むと底辺部分に襠がない状態で、通常の本体１０と比較し約2/3の長さの買物袋として使用することができる。
【０１２３】
紐５０の状態、及び、使用方法（２）。
前記使用方法（１）と同様に、本体１０の底面部１５に取り付けてある係止具１５２、及び、紐５０、５０に取り付けてある係止具５０２の係合を解く。
【０１２４】
底面部１５を折り畳み線１６に沿って半分に折り底面部１５に取り付けられている係止具１５２ａと係止具１５２ｂを係合させてから、底部を正面側の上方向に折り返して畳み、それぞれの持ち手２０、２０と本体１０の外壁面の双方に亘って取り付けてある環３０ａ、３０ａの下側から紐５０、５０を通して上に引き抜き、係止具５０２ａと係止具５０２ｂを係合する。紐５０、５０は半分に折られた状態で表面に現われている。
【０１２５】
紐５０、５０を通す環３０、３０はそれぞれの持ち手２０、２０と本体１０の外壁面の双方に亘って取り付けてある正面側の環３０ａ、３０ａの下側から紐５０、５０を上に引き抜く方法、又は、底部を背面側の上方向に折り返して畳み、環３０ｂ、３０ｂの上側から下に引き抜く方法も可能である。又、使用しない側の外壁面に取り付けられている環３０、３０には携帯電話や鍵等を取り付けて使用することも可能である。以上のように折り畳むと底辺部分に襠がない状態で、前記使用方法（１）の本体１０より縦が長い状態で小型化して使用することができる。
【０１２６】
極少量の物を収納する場合に適し、底面部１５を広げたままで、上方向に最大限に１段折り返して使用する場合。
【０１２７】
内袋４０の状態、及び、使用方法。
内袋４０を１つ使用し棚状中仕切りとする時は、多量、又、少量の買物をした場合と同様に、内袋４０１の下部を上方向に持ち上げ、下部裏面の係止具４５２ｂと、対向する内袋４０２の上部表面の係止具４５１ａ、又は、本体の壁面の係止具１０１ａと係合することで、空間が大変狭くなるが本体１０の中に横方向に区分けした柔軟性の有る１つの棚状中仕切りができ、本体１０を２層にして使用できる。
【０１２８】
内袋４０を２つで２段の棚状中仕切りとして使用する時は、少量の買物をした場合より更に収納する空間が狭くなるが、多量、又、少量の買物を収納した場合と同様に内袋４０１の下部裏面の係止具４５２ｂと、対向する内袋４０２の本体１０の壁面の係止具１０１ｂを係合し、内袋４０２の下部裏面の係止具４５２ｂと対向する内袋４０１の上部表面の係止具４５１ａ、又は、本体１０の壁面の係止具１０１ａと係合し、本体１０の中に横方向の棚状中仕切りを形成することは可能である。
然しながら、２つの棚状中仕切りとするよりも、次に示す方法がより効果的で適している。
【０１２９】
内袋４０を２つで棚状中仕切りとカバーとして使用する時は、多量、又、少量の買物をした場合と同様に、内袋４０１の下部裏面の係止具４５２ｂと対向する本体１０の壁面の係止具１０１ｂを係合し、更に、内袋４０２の下部表面の係止具４５２ａと対向する、内袋４０１の上部表面の係止具４５１ａ、又は、本体１０の壁面の係止具１０１ａと係合し、１つを棚状中仕切り、又、もう１つを品物の上に被せ、本体１０の中身を部分的に覆うカバーの両方を同時に使用が可能である。
【０１３０】
内袋４０を１つでカバーにして使用する時は、多量、又、少量の買物をした場合と同様に、内袋４０は棚状中仕切りとしての使用方法だけでなく、内袋４０１の下部表面の係止具４５２ａと対向する内袋４０２の上部表面の係止具４５１ａ、又は本体１０の壁面の係止具１０１ａと係合し、品物の上に被せ、本体１０の中身を部分的に覆うカバーとして、又、品物の飛び出し防止としても使用が可能である。
【０１３１】
内袋４０を２つで２つのカバーにして使用する時は、多量、又、少量の買物をした場合と同様に内袋４０４の係止具４５２ａを対向する内袋４０３の係止具４５１ａ、又は、本体１０の壁面の係止具１０１ａと係合する、内袋４０２の係止具４５２ａを対向する本体１０の壁面１０１ａと係合すると２つのカバーになる。１つのカバーの時には部分的に品物を覆う状態であるが、前後左右と交差させることでほぼ全面を覆うことが可能となり、収納品を外部から護ることが可能になる。
【０１３２】
内袋４０を２つ使用して１つの棚状中仕切り、又は、１つのカバーにする時は、内袋４０１の係止具４５２ｂを、対向する内袋４０２の係止具４５２ａと係合させる。内袋４０の縦を長く出来ない場合でも、双方の係止具４５２同士を係合させて、係合部分を下方に向けて品物を収納すれば棚状中仕切りとなり、又、品物の上で双方を係合させると品物を覆うカバーとして使用可能である。
【０１３３】
紐５０の状態、及び、使用方法。
小量の買物をした時と同様に、本体１０の底面部１５に取り付けてある係止具１５１ａと係止具１５１ｂ、及び、紐５０、５０に取り付けてある係止具５０１ａと係止具５０１ｂの係合を解く。
【０１３４】
底面部１５を開いた状態で底部を背面側の上方向に最大限に折り返して畳み、それぞれの持ち手２０、２０に取り付けてある環３０ｂ、３０ｂの上側から紐５０、５０を通して下に引き抜き、係止具５０１ｂと係止具１５１ａを係合し、次に、係止具５０１ａと係止具１５１ｂを係合する。紐５０、５０の部分は表面に現れない。
【０１３５】
紐５０、５０を通す環３０、３０はそれぞれの持ち手２０、２０の根本に取り付けてあるのでどちら側にも折り返し可能であるが、底部を正面側の上方向に折り返して畳み、持ち手２０、２０に取り付けてある環３０ａ、３０ａの下側から上に引き抜く場合、多少の要領が必要となるので、背面側の環３０ｂ、３０ｂの上側から紐５０、５０を下に引き抜く方法がこの場合には一番適している。又、使用しない側の持ち手２０、２０に取り付けてある環３０、３０には携帯電話や鍵等を取り付けて使用することも可能である。
以上のように折り畳むと底辺部分に襠がない状態で、通常の袋の長さと比較し約半分の長さの買物袋として使用することができ、買物に出掛ける時に財布、メモ等を収納する使用方法が適している。
【０１３６】
買い物袋１を使用後に折り畳んで収納保管する場合。
実施形態２に基づいて説明すると、内袋４０は本体１０の対向するそれぞれの面に沿って垂れ下がった状態とする。
【０１３７】
紐５０、５０の係止具５０１ｂと本体１０の底面部１５に取り付けてある係止具１５１ａ、及び、係止具５０１ａと係止具１５１ｂを重ね合わせて係合させる。
【０１３８】
本体１０の周囲は縫い目１７で押さえてあるので、底面部１５を折り畳み線１６に沿って内側に折り込むように畳み、更に、左側面部１３、右側面部１４を折り畳み線１６に沿って本体１０の上端より本体１０の底辺に向かって内側に畳んでいくと、底面部１５の折山と交わったところから左右に分かれ、左側面部１３、右側面部１４の底辺の両角に向かい自然に畳み線ができ、本体１０を平らに畳める。
【０１３９】
更に、小さくする場合には適宜折り畳んで収納保管する。
以上のように、本体１０の周囲は縫い目１７で押さえてあり、簡単に畳んで収納保管が可能である。
【０１４０】
実施形態３の袋の折り畳み方法は、前記実施形態２の袋の折り畳み方法と同じであり、前記同様に折り畳み収納保管する。
【０１４１】
買い物袋１を使用後に吊り下げた状態で保管する場合。
内袋４０を少量の買物をした時、又は、極少量の物を収納する場合と同様に、底部を上方向に折り返して小型化した状態にして保管しておくと、買物に行く時に財布など買物に必要な物を収納してそのままの状態で使用することが可能である。
【産業上の利用可能性】
【０１４２】
本発明は、手提げ袋を生産する産業で利用され、スーパー、デパート、商店のロゴを入れて、レジ袋の代わりに使用が可能。
【図面の簡単な説明】
【０１４３】
【図１】買物袋を一部切欠けして内部構造を示した全体斜視図である。
【図２】図１の買物袋の上下を逆に示した全体斜視図である。
【図３】本体と縫合直前の内袋の表面の係止具を示す部分拡大図である。
【図４】本体と縫合直前の内袋の裏面の係止具を示す部分拡大図である。
【図５】本体と内袋の係止具の取り付け状態を示す、紐と環を省略した平面図である。
【図６】図１のＶＩ−ＶＩ線切断断面図である。
【図７】図６のＶＩＩ−ＶＩＩ線切断部分の拡大断面模式図である。
【図８】図６のＶＩＩ−ＶＩＩ線切断部分の他の実施例を示す拡大断面模式図である。
【図９】１つの棚状中仕切りを形成している状態を示す、紐と環を省略した切欠模式図である。
【図１０】２つの棚状中仕切りを形成している状態を示す、紐と環を省略した切欠模式図である。
【図１１】図１０のＸＩーＸＩ線切断部分の係止具（Ａは単数の場合、又、Ｂは複数個の場合の１例）を調整して係合させる状態を示す、紐と環を省略した部分拡大模式図である。
【図１２】３つの棚状中仕切りと１つのカバーを形成している状態を示す、紐と環を省略した切欠模式図である。
【図１３】１つの棚状中仕切りと１つのカバーを形成している状態を示す、紐と環を省略した切欠模式図である。
【図１４】１つのカバーを形成している状態を示す、紐と環を省略した切欠模式図である。
【図１５】１つの棚状中仕切りと２つのカバーを形成している状態を示す、紐と環を省略した切欠模式図である。
【図１６】内袋２つを１つの棚状中仕切りに形成する状態を示す、紐と環を省略した切り欠模式図である。
【図１７】図１の紐の他の実施形態で上下を逆に示した全体斜視図である。
【図１８】図１の本体の長さを調節していない状態を示す正面図である。
【図１９】図１８の底面部の片方の紐の係合を解いた状態を示す正面図である。
【図２０】図１９の底面部の係止具同士を係合した状態を示す正面図である。
【図２１】図２０の底部を上方に折り畳み、紐を環に通し、紐の係止具同士を係合し、本体の長さを約２/３に調節している状態を示す正面図である。
【図２２】図１８の底面部の片方の紐の係合を解いた状態を示す背面図である。
【図２３】図２２の係合を解いたままで底部を最大限上方に折り畳んだ状態を示す背面図である。
【図２４】図２３の紐を環に通し、紐の係止具と底面部の係止具を係合し、本体の長さを約１/２に調節している状態を示す背面図である。
【図２５】図１の持ち手の末端を延長し、一部切欠けして内部構造を示した全体斜視図である。
【図２６】図２５の買物袋の上下を逆に示した全体斜視図である。
【図２７】図２６の環を持ち手と本体の外壁面の双方に亘って取り付けた状態の１例を示した全体斜視図である。
【図２８】図２５の紐の他の実施形態で上下を逆に示した全体斜視図である。
【図２９】図２５の本体の長さを調節していない状態を示す正面図である。
【図３０】図２９の底面部の片方の紐の係合を解いた状態を示す正面図である。
【図３１】図３０の底面部の係止具同士を係合した状態を示す正面図である。
【図３２】図３１の底部を上方に折り畳み、紐を環に通し、紐の係止具同士を係合し、本体の長さを約２/３に調節している状態を示す正面図である。
【図３３】図２９の底面部の片方の紐の係合を解いた状態を示す背面図である。
【図３４】図３３の係合を解いたままで底部を最大限上方に折り畳んだ状態を示す背面図である
【図３５】図３４の紐を環に通して、紐の係止具と底面部の係止具を係合し、本体の長さを約１/２に調節している状態を示す背面図である。
【図３６】図２７の本体の長さを調節していない状態を示す正面図である。
【図３７】図３６の底面部の片方の紐の係合を解いた状態を示す正面図である。
【図３８】図３７の底面部の係止具同士を係合した状態を示す正面図である。
【図３９】図３８の底部を上方に折り畳み、紐を環に通して、紐の係止具同士を係合し、本体の長さを図３２の袋より丈が長くなるように調節している状態を示す正面図である。
【符号の説明】
【０１４４】
１        買物袋
１０      本体 
１０１    本体の壁面の係止具
１０１ａ  係止具（雌又は雄）
１０１ｂ  係止具（雌又は雄）
１０１ｃ  係止具（雌雄）
１１      正面部
１２      背面部  
１３      左側面部
１４      右側面部
１５      底面部
１５１    底面部の係止具
１５１ａ  係止具（雌又は雄）
１５１ｂ  係止具（雄又は雌）
１５２    底面部側の持ち手末端部分の係止具
１５２ａ  係止具（雌又は雄）
１５２ｂ  係止具（雄又は雌）
１６      折り畳み線
１７      縫い目
２０      持ち手（持ち手の延長部分も含む）
３０      環（持ち手の根本以外に取り付けた環も含む）
３０a     正面側
３０b     背面側
４０      内袋
４０１    正面側
４０２    背面側
４０３    左側面側
４０４    右側面側  
４１      縫い代部
４２      縫合部
４３      開口部
４３１    開口部の係止具（雌雄）
４５      内袋外側面の係止具
４５１    外側面上部の係止具
４５１ａ  表面の係止具（雌又は雄）
４５１ｂ  裏面の係止具（雌又は雄）
４５２    外側面下部の係止具  
４５２ａ  表面の係止具（雄又は雌）
４５２ｂ  裏面の係止具（雄又は雌）
５０      紐（自由な紐、自由端、持ち手が延長した末端部分も含む）
５０１    紐の係止具
５０１a   係止具（雌又は雄）
５０１b   係止具（雄又は雌）
５０２    自由端側の持ち手末端部分の係止具
５０２a   係止具（雌又は雄）
５０２b   係止具（雄又は雌）
６０      本体の壁面と内袋の間の素材
６０１    素材の係止具（雌又は雄）
Ｄ１      係合位置を上方向に調整した長さ
Ｄ２      係合位置を下方向に調整した長さ
Ｐ        持ち手の垂直下の底辺
Ｑ        Ｐと直角に交わる底辺
【図１】
2010125318.tif 000003
【図２】
2010125318.tif 000004
【図３】
2010125318.tif 000005
【図４】
2010125318.tif 000006
【図５】
2010125318.tif 000007
【図６】
2010125318.tif 000008
【図７】
2010125318.tif 000009
【図８】
2010125318.tif 000010
【図９】
2010125318.tif 000011
【図１０】
2010125318.tif 000012
【図１１】
2010125318.tif 000013
【図１２】
2010125318.tif 000014
【図１３】
2010125318.tif 000015
【図１４】
2010125318.tif 000016
【図１５】
2010125318.tif 000017
【図１６】
2010125318.tif 000018
【図１７】
2010125318.tif 000019
【図１８】
2010125318.tif 000020
【図１９】
2010125318.tif 000021
【図２０】
2010125318.tif 000022
【図２１】
2010125318.tif 000023
【図２２】
2010125318.tif 000024
【図２３】
2010125318.tif 000025
【図２４】
2010125318.tif 000026
【図２５】
2010125318.tif 000027
【図２６】
2010125318.tif 000028
【図２７】
2010125318.tif 000029
【図２８】
2010125318.tif 000030
【図２９】
2010125318.tif 000031
【図３０】
2010125318.tif 000032
【図３１】
2010125318.tif 000033
【図３２】
2010125318.tif 000034
【図３３】
2010125318.tif 000035
【図３４】
2010125318.tif 000036
【図３５】
2010125318.tif 000037
【図３６】
2010125318.tif 000038
【図３７】
2010125318.tif 000039
【図３８】
2010125318.tif 000040
【図３９】
2010125318.tif 000041